(57)【要約】【課題】大幅なコストアップを伴うことなく、簡単な構造で結露を抑制する性能を向上させることが可能となる光学機器を提供する。【解決手段】所定空間を囲み、外部から該所定空間への水分の侵入を実質的に防ぐ構成を有する筐体と、前記所定空間内において、第１部分空間２４と第２部分空間２２Ｒ、２２Ｌとを仕切るように配置された光学素子と、  前記第１部分空間と前記第２部分空間とを連通させる連通手段２３Ｒ、２３Ｌと、前記第１部分空間内部に配置された吸湿部材とを有する光学機器を構成する。【選択図】            図１
2006171115.tif 000002
【特許請求の範囲】
【請求項１】
所定空間を囲み、外部から該所定空間への水分の侵入を実質的に防ぐ構成を有する筐体と、
前記所定空間内において、第１部分空間と第２部分空間とを仕切るように配置された光学素子と、
前記第１部分空間と前記第２部分空間とを連通させる連通手段と、
前記第１部分空間内部に配置された吸湿部材とを有することを特徴とする光学機器。
【請求項２】
前記筐体が、前記所定空間を密閉していることを特徴とする請求項１記載の光学機器。
【請求項３】
前記光学素子は、屈折光学素子、平行平板ガラス、プリズムのいずれかであることを特徴とする請求項１又は２記載の光学機器。
【請求項４】
前記第１部分空間と前記第２部分空間とを連通させる連通手段は２つの通風穴を有しており、
前記第１部分空間と前記第２部分空間とを仕切る光学素子の光軸回りの回転角度において、前記２つの通風穴の位置は１２０度以上２４０度以下異なることを特徴とする請求項１〜３のいずれか１項に記載の光学機器。。
【請求項５】
前記第１部分空間と前記第２部分空間とを仕切る光学素子の光軸回りの回転角度において、前記２つの通風穴の位置は１５０度以上２１０度以下異なることを特徴とする請求項４に記載の光学機器。
【請求項６】
前記連通手段は、前記光学素子の周囲に設けられていることを特徴とする請求項１〜５のいずれか１項に記載の光学機器。
【請求項７】
前記連通手段は、前記光学素子の一部を切り欠いて形成することを特徴とする請求項１〜６のいずれか１項に記載の光学機器。
【請求項８】
前記光学機器が、可搬型の観察光学機器であることを特徴とする請求項１〜７のいずれか１項に記載の光学機器。
【請求項９】
前記光学機器が、双眼鏡であることを特徴とする請求項１〜８のいずれか１項に記載の光学機器。
【発明の詳細な説明】
【技術分野】
【０００１】
本発明は、光学機器に関するものであり、例えば水中撮影等に用いられる防水型カメラや防水仕様の双眼鏡等の防水、防湿構造を有する光学機器に関するものである。
【背景技術】
【０００２】
従来、例えば特許文献１に開示されている水中撮影等に用いられる防水型カメラや、特許文献２に開示されているような防水仕様の双眼鏡等が知られている。これら特許文献１、２の光学機器の構造、特に防水が必要な部分の構造には、水が侵入しないようにするために光学系内部を密閉する密閉構造が採用されている。具体的には、主たる構成要素への外部からの水滴等の侵入を防ぐため、防水型カメラ等では、カメラ本体に防水ケースを取りつけたり、カメラ本体のカバーを防水構造にしたりすることによって、主たる構成要素を水密に覆う構造が採用されていた。
【０００３】
また、防水型の双眼鏡等では、例えば対物レンズを光軸方向に移動させて焦点位置を調整する調整ロッドと、調整ロッドが貫通される双眼鏡本体に形成された貫通孔との間に防水パッキングを設け、内部に水滴等が侵入するのを防止するように構成されている。
【特許文献１】特開２００１−１１０３７６号公報
【特許文献２】特開平７−２０９５８９号公報
【発明の開示】
【発明が解決しようとする課題】
【０００４】
しかしながら、上記したような防水型光学機器では、主たる構成要素である光学系等を覆うような密閉構造を採用しているため、光学系等に水滴や水蒸気が浸入するのを防ぐことができる反面、ひとたび光学系に侵入してしまった水滴や水蒸気は光学系内部に滞留する可能性が高く、光学系外への排水、排気は難しかった。
【０００５】
従って、水蒸気を含んだ空気等（通常の生活環境の空気など）が、前記光路中のどこか一部にでも残ってしまうと、低温度下では飽和水蒸気圧が下がってきて結露が発生し、光学機器としての主たる機能に早期に弊害が生じてしまう可能性があった。例えば、飽和水蒸気圧は、概ね１２℃〜１３℃下がると約１／２に下がる。具体的には、温度２３℃、湿度６０％を光学機器の組立環境と仮定すると、この組立環境で密閉空間が形成された場合、１０℃程度に気温が下がれば、密閉空間内部の水分量が飽和水蒸気量を超えて結露が発生してしまう可能性がある。
【０００６】
このような弊害を避けるため、機器の組立工程においては、機器内部の主たる空間だけでなく、光路中の部分的な密閉空間においても、初期の水蒸気を排除するために窒素ガスや乾燥空気を封入したり、これらのガス雰囲気中において組立を行う必要が生じ、そのため組立のために装置が大掛かりになったり、手間が掛かるなどの問題があった。
【０００７】
また、乾燥剤を用いた手段による場合にも、機器内部の主たる空間だけでなく、光路中の部分的な密閉空間にも乾燥剤を配置する必要があり、そのため手間がかかったり、コストアップとなったり、あるいは乾燥剤を配置するためのスペースを確保する必要があり、機器が大型化したりする等の問題を有していた。
【０００８】
本発明は、上記課題に鑑みて、大幅なコストアップを伴うことなく、簡単な構造で結露を抑制する性能を向上させることが可能となる光学機器を提供することを目的とするものである。
【課題を解決するための手段】
【０００９】
本発明は、以下のように構成した光学機器を提供するものである。
すなわち、本発明の光学機器は、所定空間を囲み、外部から該所定空間への水分の侵入を実質的に防ぐ構成を有する筐体と、前記所定空間内において、第１部分空間と第２部分空間とを仕切るように配置された光学素子と、前記第１部分空間と前記第２部分空間とを連通させる連通手段と、前記第１部分空間内部に配置された吸湿部材とを有することを特徴としている。
【発明の効果】
【００１０】
本発明によれば、大幅なコストアップを伴うことなく、簡単な構造で結露を抑制する性能を向上させることが可能となる防湿構造を有する光学機器を実現することができる。
【発明を実施するための最良の形態】
【００１１】
上記した構成により、本発明の課題を達成することができるものであるが、本発明の実施の形態においては、より具体的には、水滴や水蒸気等の侵入を防ぐようにした防水・防湿構造を有する光学機器として双眼鏡を構成し、前記防水・防湿構造内に形成された主たる空間部と、前記主たる空間部内に設けられ、光学部材を部分的な空間部内に収容・保持するレンズ鏡筒とにおいて、該レンズ鏡筒の部分的な空間部に、前記主たる空間部とを連通させる通風用の穴を形成し、レンズ鏡筒内の水蒸気等を、主たる空間部に亙って均等に拡散させ、結露等が生じるのを防止するようにすることができる。
その際、前記鏡筒に設けられた前記通風用の穴は、前記レンズ鏡筒に保持されている複数の光学部材の周囲に設けたり、該複数の光学部材間の前記鏡筒部分に設けることにより、１つのレンズ鏡筒に３枚以上の光学部材が直列に配置されていても、水蒸気の拡散を促す構造を簡単に実現することができる。
また、上記通風用の穴を設けた防水・防湿構造の光学機器の内部には、その主たる空間に吸湿材を配したり、機器内部の少なくとも主たる空間に窒素ガス、或いは、乾燥空気を充填することにより、更なる耐結露性能を発揮させることができる。
【実施例】
【００１２】
以下に、本発明の実施例について説明する。
【００１３】
本実施例では本発明を適用して、以下に説明するような防湿構造を有する双眼鏡を構成した。
図１は、本実施例における防湿構造を有する双眼鏡を、接眼光学系（後述の接眼ユニット）及びその近辺は接眼レンズの光軸を通って接眼光学系の光軸に平行な平面で、対物光学系（後述の対物レンズユニット）及びその近辺は対物光学系の光軸を通って対物光学系の光軸に平行な平面で切った時の(水平)断面図である。  図２は、本実施例における防湿構造を有する双眼鏡を側面から見た垂直断面図である。本実施例にある外装部材は個々の部品間に「Ｏリング」や「シールゴム」が配置され、外部環境から水滴が機器内部に入らないように構成されている。また、本実施例では、内部に吸湿材（後述）が設置されており、初期の水蒸気、或いは内部の構成部品が保水している水分や、外装部材の表面から透過してくる水蒸気を吸湿できるので、防水式双眼鏡で一般的に行われている窒素ガスの充填等は、特に行われていない。
【００１４】
図１、図２において、左右一対の対物光軸１Ｒ、１Ｌ上には、光学系が物体側から順に、平行平板である保護ガラス２Ｒ、２Ｌ、対物鏡筒３Ｒ’、３Ｌ’に保持された対物レンズユニット３Ｒ、３Ｌ、接眼ユニット４Ｒ、４Ｌが左右それぞれ配置されている。該接眼ユニット４Ｒ、４Ｌにはそれぞれ、正立プリズムユニット５Ｒ、５Ｌと、後述する接眼鏡筒２５Ｒ、２５Ｌが保持しているところの接眼光学系６Ｒ、６Ｌが、それぞれ図１のように所定の位置に配置されている。ここで、接眼ユニット４Ｒ、４Ｌのそれぞれは、前記それぞれの対物光軸１Ｒ、１Ｌを中心に回転可能に接眼ベース７に保持されている。
【００１５】
これは前記接眼光学系６Ｒ、６Ｌの光軸は、前記正立プリズムユニット５Ｒ、５Ｌの性質により前記対物光軸１から平行シフトした所に配置されるようになるため（図２参照）、このように接眼ユニット４Ｒ、４Ｌをそれぞれ回転させる事で不図示の観察者の両眼の幅に、前記接眼光学系６Ｒ、６Ｌの幅（接眼光学系６Ｒ、６Ｌの光軸間の距離）を合わせることが出来るようにするためである。ここで、外装部品である前記接眼ベース７に撓みが発生すると左右の光学系の光軸ずれが起こってしまうため、ここでは接眼ベース７を丈夫なアルミニウム材（その他丈夫な金属系であることが望ましい）で作ることにより、前記接眼ユニット４Ｌ、４Ｒを正確に保持している。
従ってこの部品の水蒸気透過性は素材が金属であるので考慮しないでよい（つまり、この部品を水蒸気が透過することは無いし、万が一あったとしても無視できるレベルである）。
【００１６】
前記接眼ベース７の前端面には、その厚みの中で凹部の溝が全周にわたり形成されており、その溝の中にはシールリング８が前記凹部の溝に沿って全周にわたり切れ目無く配置されている。
【００１７】
また、図２に示すように該接眼ベース７後端の平面部の上方には光軸と平行に嵌合穴７’が設けられており、該嵌合穴７’には、フォーカスネジ９がＯリング１０とともに前記接眼ベース７において（対物レンズユニットの光軸方向に関して定位置のままで）回転可能に保持されている。
【００１８】
次に、前記接眼ベース７の内部中央やや上よりには、平面部１２が前方に突出する形で設けられており、該平面部１２の上面を前後方向のみに移動可能に摺動保持された板金による対物台１３が配置されている。該対物台１３の後端部は垂直に上方に曲げられた部分があり、そこには、前記フォーカスネジ９と螺合するフォーカスナット１４が固着されている一方、該対物台１３の前端部は垂直に下方に曲げられた部分があり、前記左右一対の対物光軸１Ｒ、１Ｌを中心に開けられた穴部には、前記対物鏡筒３Ｒ’、３Ｌ’がそれぞれビス止めされている。そのため、前記フォーカスネジ９の後部にビス１１’によってビス止めされたフォーカスダイアル１１を回転操作する事で、前記対物レンズユニット３Ｒ、３Ｌを同時に光軸方向に移動可能とし、双眼鏡のピント合わせを実現できるように構成されている。尚、接眼ユニット４Ｒ、４Ｌが前記接眼ベース７に保持されるところにおいて、該接眼ユニット４の内部の空間は、後述する本体側（前方）の広い空間（主たる密閉空間２４）とつながっている。ここで、主たる密閉空間は、双眼鏡の外部からの水、水蒸気等の侵入を防ぐことができる（実質的に水、水蒸気等の水分が浸入しない）構造となっているが、前述の接眼ユニット４の内部の空間（レンズとレンズ、又はレンズと平行平板ガラス等、すなわちレンズ、平行平板ガラス、プリズム等の光学素子間の空間）とは連通している。この密閉空間は双眼鏡外部に対して密閉されていることが望ましいが、水、水蒸気の浸入を防ぐことができれば他の気体の侵入を防ぐ必要は無いため、乾燥気体が密閉空間内部に侵入可能な構成としていても良い。
【００１９】
また、該接眼ユニット４Ｒ、４Ｌの保持部にはＯリング４Ｒ’、４Ｌ’が、中間部にはシールリング５Ｒ’、５Ｌ’が、又、前記接眼光学系６Ｒ、６Ｌを保持する接眼鏡筒２５Ｒ、２５Ｌ（後述）に関わるところにはＯリング６Ｒ’、６Ｌ’がそれぞれ配置されていて、それぞれ密閉性を保つことが可能となっている。外カバー１５は、後端部に全周つば部が形成されているとともに、該後端部の全周つば部が前記シールリング８を圧接するように、前記接眼ベース７の後方から不図示のビスによってビス止めされているため、この部分の密閉性を保つことが可能となっている。勿論、他の構成で密閉性を保つようにしても構わない。
【００２０】
左右一対の対物枠１６Ｒ、１６Ｌは、前記外カバー上１５の左右の先端部に螺合し、それぞれＯリング１７Ｒ、１７Ｌを配置する事でこの部分での密閉性を保つことが可能となっている。又、前記平行平板である保護ガラス２Ｒ、２Ｌは、前記左右一対の対物枠１６Ｒ、１６Ｌに配置されたシールリング１８Ｒ、１８Ｌに接し、前記左右一対の対物枠１６Ｒ、１６Ｌの前面の内側に配置されるとともに、一対の押え環１９Ｒ、１９Ｌによってねじ込んで同時に圧接固定されるので、この部分での密閉性を保つことが可能となっている。又、前述の、前記外カバー上１５の上面部の内面のほぼ中央には、吸湿材としての吸湿シート（吸湿シートと記載したが、水蒸気を有する吸湿部材、吸湿機能を有する物質、であれば、どのような形状であっても構わない）２０が保持されていて、双眼鏡内部空間の水蒸気を吸水することで、双眼鏡内部の湿度を低く保つ事が可能となり、温度低下による結露が生じないようにしている。
【００２１】
尚、外装ゴム２１は、双眼鏡の主要部を覆い、外部からの衝撃を和らげたり、保持機能を向上させたりする働きがあるが、双眼鏡の密閉性には特に寄与はしていない。すなわち、この外装ゴム２１は、本実施例においては密閉構造の外部を覆っているに過ぎない。但し、例えば、外装ゴム２１によって、密閉構造の隙間を埋めるような構成とする等のように、外装ゴム２１が密閉構造を構成するのに寄与するような構成としても構わないし、外装ゴム２１によって、２つの部材を圧接させる（間の空間に隙間が生じない、すなわち水蒸気等が通過しないように接触させる）ような構成としても構わない。
【００２２】
次に、鏡筒部に関して詳細説明をする。
前記対物鏡筒３Ｒ’、３Ｌ’に保持された対物レンズユニット３Ｒ、３Ｌはそれぞれ、単玉よりなる前群レンズ（勿論複数枚のレンズであっても構わないが、ここでは１枚のレンズの例を示している）と、２枚の貼り合わせ（ここでは、物体側から順に凸レンズ、凹レンズの順に配置されたレンズを貼り合わせているが、順番は逆であっても良いし、また２枚とも凸レンズであっても構わないし、また３枚以上のレンズで構成されていても構わない）よりなる後群レンズを保持している。前記前群レンズは前記対物鏡筒３Ｒ’、３Ｌ’の前端付近でカシメ保持されており、一方、前記後群レンズは前記対物鏡筒３Ｒ’、３Ｌ’の後方に押え環で固定されている。そのため、前群レンズと後群レンズの間には、前記対物鏡筒３Ｒ’、３Ｌ’に囲まれた部分的な空間（密閉空間、屈折光学素子で仕切られた密閉空間）２２Ｒ、２２Ｌが形成される。本実施例では、この対物鏡筒３Ｒ’、３Ｌ’の、前群レンズと後群レンズの間の上側と下側の位置（互いに向かい合っている位置）に１つずつ通風穴２３Ｒ、２３Ｌを設け（２３Ｒ、２３Ｌはそれぞれが上側と下側の位置に設けられた２個の通風穴を指している）、前記部分的な空間２２Ｒ、２２Ｌが双眼鏡内部の主たる密閉空間２４とつながるように構成してある。ここでは、部分的な空間２２Ｒ、２２Ｌと主たる密閉空間２４とを連通させる手段を通風穴２３Ｒ、２３Ｌと記載したが、この通風穴（連通手段として使われるもの）は管状（或いは筒状、又はチューブ状）の形状をしていても良い。
【００２３】
一方、接眼光学系６Ｒ、６Ｌは、４つのレンズ群からなっていて（勿論レンズ群の数は４つでなくても構わない）、前方（物体側）の３つのレンズ群の各々は前記接眼鏡筒２５Ｒ、２５Ｌにカシメ保持されており、４つ目（最も観察者側）のレンズ群は図のように接眼鏡筒２５Ｒ’、２５Ｌ’に対してカシメ保持された上で、水蒸気の透過を抑えるための液状接着剤をカシメ部に塗布し硬化させている。そして、この接眼鏡筒２５Ｒ’、２５Ｌ’も接眼鏡筒２５Ｒ、２５Ｌに対してカシメ保持された後、水蒸気の透過を押えるための液状接着剤をカシメ部に塗布し硬化させる。
【００２４】
ここで、接眼光学系の複数のレンズの間には、接眼鏡筒２５Ｒ、２５Ｌ、或いは前記接眼鏡筒２５Ｒ’、２５Ｌ’に囲まれ、前述の複数のレンズによって仕切られた３つの部分空間（密閉空間）２６Ｒ、２６Ｌと２７Ｒ、２７Ｌと２８Ｒ、２８Ｌとが形成されている。そのため、本実施例では、前記接眼鏡筒２５Ｒ、２５Ｌに図１に示すような通風穴２６Ｒ’、２６Ｌ’と２７Ｒ’、２７Ｌ’と２８Ｒ’、２８Ｌ’をレンズ鏡筒の円周方向にそれぞれ４箇所ずつ設けている。この３つの部分空間のうち、２つの部分空間（略密閉された２つの空間、レンズ等の光学素子で仕切られた２つの空間）を連通させる通風穴の数は、勿論４個に限らず１個以上あれば良いが、できれば複数箇所設けることが望ましい。さらに、通風穴を２つ設ける場合、その２つの部分空間を仕切る光学素子の光軸（又は２つの部分空間を仕切る光学素子を含む光学系の光軸）回りの回転角度が、略１８０度（１６０度以上２００度以下）異なる位置（すなわち光軸を挟んで略対向する位置）に設けることが望ましい。少なくとも、その２つの部分空間を連通させる複数の通風穴のうちの第１の通風穴と第２の通風穴とが、その２つの部分空間を仕切る光学素子の光軸、又はその光学素子を含む光学系の光軸回りの回転角度において、互いに１２０度以上２４０度以下（好ましくは１５０度以上２１０度以下）異なる位置に設けられていることが望ましい。また前述の通風穴２３Ｒ、２３Ｌと同様に、この通風穴２６Ｒ’、２６Ｌ’、２７Ｒ’、２７Ｌ’、２８Ｒ’、２８Ｌ’（連通手段として使われるもの）は管状（或いは筒状、又はチューブ状、つまり細長い形状のもの）の形状をしていても良い。また、レンズの周辺部に切り欠きを設け、それを通風穴としても良い。
【００２５】
通風穴２６Ｒ’、２６Ｌ’は、前記主たる密閉空間２４と前記部分的な空間２６Ｒ、２６Ｌをつなぐために、レンズ間の鏡筒に設けてある。通風穴２７Ｒ’、２７Ｌ’は、前記部分的な空間２６Ｒ、２６Ｌと前記部分的な空間２７Ｒ、２７Ｌをつなぐために、レンズの周囲（の鏡筒）に設けてある。通風穴２８Ｒ’、２８Ｌ’は、前記部分的な空間２７Ｒ、２７Ｌと前記部分的な空間２８Ｒ、２８Ｌをつなぐために、レンズの周囲（の鏡筒）に設けてある。つまり、接眼部の前記３つの空間は、主たる密閉空間２４に対して、順順につながるようになっている（勿論、順順に繋がっている必要は無く、各々の部分空間と主たる密閉空間とが繋がっていればそれで構わない）。
【００２６】
上記構成において、前述のように、前記吸湿シート２０が配置されているため、前記双眼鏡内部の主たる密閉空間２４内部に初期（製造時）に侵入していた水蒸気等を、窒素ガスや乾燥空気を充填しなくても吸湿シートで吸収することができ、その結果双眼鏡内部（密閉空間、特に光学系が収納されている空間）の水蒸気圧を低下させる事が可能となる。更に、前述の対物鏡筒３Ｒ’、３Ｌ’などが樹脂材料で構成されていた場合は、材料内部に水分を含んでおり、その水分が密閉空間内で水蒸気となる可能性や、前述した各「Ｏリング」や各「シールリング」から水蒸気が発生する可能性を考慮すると、それら保水材に含まれている水分が、主たる密閉空間２４の水蒸気圧の低下に伴い徐々に放出されて来ることが考えられるが、それらの水蒸気は、前記吸湿シート２０がその都度吸湿するため、密閉空間内の水蒸気圧を低いレベルに保つことができる。ここでは、密閉空間内の水蒸気圧が、摂氏０度、好ましくは摂氏−１０度における飽和水蒸気圧よりも低く保つことが可能な構成としていることが望ましい。
【００２７】
同様に、対物鏡筒３Ｒ’、３Ｌ’内の部分的な空間２２Ｒ、２２Ｌに含まれている初期水蒸気なども、対物鏡筒３Ｒ’、３Ｌ’の前群レンズと後群レンズの間の上下位置に設けられた通風穴２３Ｒ、２３Ｌを通じて前記水蒸気圧の低い主たる密閉空間２４に拡散してくるので、吸湿シート２０にその都度吸湿されてしまい、その結果、前記対物鏡筒３Ｒ’、３Ｌ’内の部分的な空間２２Ｒ、２２Ｌ内の水蒸気圧が低下し、この双眼鏡（光学機器）を低温度下に放置しても、吸湿シート２０が作用している限り、対物レンズは結露しなくなる。
【００２８】
一方、前述の接眼レンズ内の３つの空間２６Ｒ、２６Ｌと２７Ｒ、２７Ｌと２８Ｒ、２８Ｌに関しても同様に、主たる密閉空間２４に対して、順順につながるようになっている（勿論、順順に繋がっている必要は無く、各々の部分空間と主たる密閉空間とが繋がっていればそれで構わない）。そのため、部分空間での水蒸気圧は順次低下し、双眼鏡（光学機器）を低温度下に放置しても、吸湿シート２０が作用している限り、接眼レンズの結露を防ぐことができる。特に、接眼レンズの後部は、外部に露出しているため、前述したようにレンズ廻りや、前記接眼鏡筒２５’廻りのカシメ部には液状接着剤塗布し硬化させているが、若干の水蒸気透過が認められ、上述した各接眼部の通風穴の効果が大きい。
【００２９】
更に、本実施例では、乾燥剤を配置する代わりに窒素ガスや乾燥気体の封入を省略しているが、機器内部の構成部品において保水量がほとんどない、或いは、機器の密閉度が高く、水蒸気の透過も非常に少ないと予想される機器構成では、窒素ガスや乾燥気体の封入のみで耐結露効果が期待できる。しかしながら、先に示したように、本実施例のような通風穴を設けるようにすれば、機器内部の主たる空間に対して窒素ガスや乾燥気体の封入を行えば、（主たる空間以外の部分空間等も含めた）密閉空間の初期水蒸気圧を低下させることができ、その低下した水蒸気圧分の水蒸気を吸湿可能な吸湿シートを密閉空間内部に配置しておけば足りる。
【００３０】
尚、通風穴の大きさに関しては、水蒸気の必要透過速度で決まるため、流量が必要な部分は大きめに設定するなどする場合や、上記窒素ガスや乾燥気体の封入のみで耐結露効果を出す状況では前期窒素ガスや乾燥気体の封入速度を設定する場合には、実験で確認しながら決定するとよい。最も径が小さいレンズの屈折面の面積に対して０．０１％以上５％以下の断面積を持つ通風穴とすることが望ましい。
【００３１】
本実施例においては、双眼鏡について説明したが、本発明は双眼鏡に限定されるものではなく、観察者と観察物間の距離を測定する、単眼式の距離測定装置等、望遠鏡、顕微鏡等の観察光学系や、カメラ、ビデオカメラ、交換レンズ等の撮影光学系や、プロジェクタ等の投射光学系等を有する防水型光学機器に広く用いることができ、特に適用分野を限定するものでない。
【図面の簡単な説明】
【００３２】
【図１】本発明の実施例における防湿構造を有する双眼鏡を上方から見て光軸で切断した水平断面図。
【図２】本発明の実施例における防湿構造を有する双眼鏡を側面から見た垂直断面図。
【符号の説明】
【００３３】
２Ｒ、２Ｌ：保護ガラス
３Ｒ、３Ｌ：対物レンズユニット
３Ｒ’、３Ｌ’：対物鏡筒
４Ｒ、４Ｌ：接眼ユニット
５Ｒ、５Ｌ：正立プリズムユニット
６Ｒ、６Ｌ：接眼光学系
２０：吸湿シート
２２Ｒ、２２Ｌ：部分的な空間
２３Ｒ、２３Ｌ：通風穴
２４：主たる密閉空間
２５Ｒ、２５Ｌ，２５Ｒ’、２５Ｌ’：接眼鏡筒
２６Ｒ、２６Ｌ，２７Ｒ、２７Ｌ，２８Ｒ、２８Ｌ：部分的な空間
２６Ｒ’、２６Ｌ’，２７Ｒ’、２７Ｌ’，２８Ｒ’、２８Ｌ’：通風穴
【図１】
2006171115.tif 000003
【図２】
2006171115.tif 000004